(57)【要約】      （修正有）【課題】ストーリー性のある動画を容易に作成する。【解決手段】映像作品の撮影カット毎の構図および撮影時間を示す撮影テンプレートが映像作品のテーマ毎に記憶される撮影テンプレート記憶手段と、撮影テンプレート記憶手段に記憶されたテーマ毎の撮影テンプレートのうち何れかが選択されると、当該撮影テンプレートの各撮影カットの一覧を表示し、撮影を開始する撮影カットの選択を受け付ける撮影カット選択手段と、撮影カット選択手段で撮影カットが選択されると、撮影テンプレートに規定された構図を案内するガイド情報を画面内に配置した撮影画面を表示し、撮影テンプレートに規定された撮影時間の間、撮影カットの撮影を行う撮影カット撮影手段と、撮影カット撮影手段によって撮影された各撮影カット毎の映像を統合し、映像作品を作成する映像作品作成手段と、を有する映像処理装置。【選択図】図１
2015115718.tif 000002
【特許請求の範囲】
【請求項１】
映像作品の撮影カット毎の構図および撮影時間を示す撮影テンプレートが映像作品のテーマ毎に記憶される撮影テンプレート記憶手段と、
前記撮影テンプレート記憶手段に記憶された前記テーマ毎の撮影テンプレートのうち何れかが選択されると、当該撮影テンプレートの各撮影カットの一覧を表示し、撮影を開始する撮影カットの選択を受け付ける撮影カット選択手段と、
前記撮影カット選択手段で撮影カットが選択されると、前記撮影テンプレートに規定された前記構図を案内するガイド情報を画面内に配置した撮影画面を表示し、前記撮影テンプレートに規定された前記撮影時間の間、前記撮影カットの撮影を行う撮影カット撮影手段と、
前記撮影カット撮影手段によって撮影された前記各撮影カット毎の映像を統合し、映像作品を作成する映像作品作成手段と、
を有する映像処理装置。
【請求項２】
前記撮影テンプレート記憶手段は、複数の前記撮影テンプレートが撮影カテゴリ毎に記憶されている、
請求項１に記載の映像処理装置。
【請求項３】
前記画面内に配置される前記ガイド情報として、前記撮影カットの構図を示すガイド枠が表示される、
請求項１または請求項２に記載の映像処理装置。
【請求項４】
映像作品の撮影カット毎の構図および撮影時間を示す撮影テンプレートが映像作品のテーマ毎に記憶される撮影テンプレート記憶手段に記憶された前記テーマ毎の撮影テンプレートのうち何れかが選択されると、当該撮影テンプレートの各撮影カットの一覧を表示し、撮影を開始する撮影カットの選択を受け付ける撮影カット選択ステップと、
前記撮影カット選択ステップで撮影カットが選択されると、前記撮影テンプレートに規定された前記構図を案内するガイド情報を画面内に配置した撮影画面を表示し、前記撮影テンプレートに規定された前記撮影時間の間、前記撮影カットの撮影を行う撮影カット撮影ステップと、
前記撮影カット撮影ステップによって撮影された前記各撮影カット毎の映像を統合し、映像作品を作成する映像作品作成ステップと、
を有する映像処理方法。
【請求項５】
コンピュータに、
映像作品の撮影カット毎の構図および撮影時間を示す撮影テンプレートが映像作品のテーマ毎に記憶される撮影テンプレート記憶手段に記憶された前記テーマ毎の撮影テンプレートのうち何れかが選択されると、当該撮影テンプレートの各撮影カットの一覧を表示し、撮影を開始する撮影カットの選択を受け付ける撮影カット選択ステップと、
前記撮影カット選択ステップで撮影カットが選択されると、前記撮影テンプレートに規定された前記構図を案内するガイド情報を画面内に配置した撮影画面を表示し、前記撮影テンプレートに規定された前記撮影時間の間、前記撮影カットの撮影を行う撮影カット撮影ステップと、
前記撮影カット撮影ステップによって撮影された前記各撮影カット毎の映像を統合し、映像作品を作成する映像作品作成ステップと、
を実行させる映像処理プログラム。
【発明の詳細な説明】
【技術分野】
【０００１】
本発明は、映像処理装置、映像処理方法および映像処理プログラムに関する。
【背景技術】
【０００２】
従来、様々な分野で動画は利用されている。例えば、製品の宣伝のため様々な企業が広告動画を利用している。このような広告動画はテレビ等を通じて広く放映されている。また、近年ではインターネット上で動画共有サービスが提供されている。動画共有サービスでは、企業のみならず個人が撮影した動画も公開されている。コンピュータを利用して、撮影された動画と音楽を結合してひとつの映像作品を作成する技術も提案されている（特許文献１および特許文献２参照）。
【先行技術文献】
【特許文献】
【０００３】
【特許文献１】米国特許出願公開第２０１２／０３０４０６６号明細書
【特許文献２】米国特許出願公開第２００８／０２１５９７９号明細書
【発明の概要】
【発明が解決しようとする課題】
【０００４】
広告動画、映画、ショートムービー、ドラマあるいは動画で作成された教材のようなストーリー性のある動画の作成には、撮影及び編集等に高度な技術が要求される場合が多い。そのため、ストーリー性のある動画の作成には、例えば、撮影ディレクター、カメラマン、照明アシスタント、エディターおよびプロデューサー等の各分野のプロの技術者が投入される。さらに、各撮影カットの撮影および編集には多くの工数を費やされる場合が多い。また、ストーリー性のある動画の撮影および編集には高価な機材が用いられることも多い。その結果、ストーリー性のある動画の作成には長期間の撮影期間と多大な予算とが費やされている場合が多い。そのため、このようなストーリー性のある動画の撮影は、中小企業および個人では予算および人員の確保が難しい。
【課題を解決するための手段】
【０００５】
そこで、本願は上記課題を解決するため、以下のような映像処理装置を開示する。映像作品の撮影カット毎の構図および撮影時間を示す撮影テンプレートが映像作品のテーマ毎に記憶される撮影テンプレート記憶手段と、撮影テンプレート記憶手段に記憶されたテーマ毎の撮影テンプレートのうち何れかが選択されると、当該撮影テンプレートの各撮影カットの一覧を表示し、撮影を開始する撮影カットの選択を受け付ける撮影カット選択手段と、撮影カット選択手段で撮影カットが選択されると、撮影テンプレートに規定された構図を案内するガイド情報を画面内に配置した撮影画面を表示し、撮影テンプレートに規定された撮影時間の間、撮影カットの撮影を行う撮影カット撮影手段と、撮影カット撮影手段によって撮影された各撮影カット毎の映像を統合し、映像作品を作成する映像作品作成手段と、を有する映像処理装置。
【０００６】
上記映像処理装置によれば、撮影テンプレートによって映像作品のテーマに適した撮影カットが用意される。また、撮影テンプレートによって撮影カット毎の構図および撮影時間が示される。その結果、撮影テンプレートに従って撮影カット毎に撮影を行うことで、編集作業を行わずにストーリー性のある動画が撮影される。
【０００７】
さらに、本願開示の技術は、以下のような映像処理方法としての側面から捉えることも可能である。映像作品の撮影カット毎の構図および撮影時間を示す撮影テンプレートが映
像作品のテーマ毎に記憶される撮影テンプレート記憶手段に記憶されたテーマ毎の撮影テンプレートのうち何れかが選択されると、当該撮影テンプレートの各撮影カットの一覧を表示し、撮影を開始する撮影カットの選択を受け付ける撮影カット選択ステップと、撮影カット選択ステップで撮影カットが選択されると、撮影テンプレートに規定された構図を案内するガイド情報を画面内に配置した撮影画面を表示し、撮影テンプレートに規定された撮影時間の間、撮影カットの撮影を行う撮影カット撮影ステップと、撮影カット撮影ステップによって撮影された各撮影カット毎の映像を統合し、映像作品を作成する映像作品作成ステップと、を有する映像処理方法。
【０００８】
さらに、本願開示の技術は以下のような映像処理プログラムとしての側面から捉えることも可能である。コンピュータに、映像作品の撮影カット毎の構図および撮影時間を示す撮影テンプレートが映像作品のテーマ毎に記憶される撮影テンプレート記憶手段に記憶されたテーマ毎の撮影テンプレートのうち何れかが選択されると、当該撮影テンプレートの各撮影カットの一覧を表示し、撮影を開始する撮影カットの選択を受け付ける撮影カット選択ステップと、撮影カット選択ステップで撮影カットが選択されると、撮影テンプレートに規定された構図を案内するガイド情報を画面内に配置した撮影画面を表示し、撮影テンプレートに規定された撮影時間の間、撮影カットの撮影を行う撮影カット撮影ステップと、撮影カット撮影ステップによって撮影された各撮影カット毎の映像を統合し、映像作品を作成する映像作品作成ステップと、を実行させる映像処理プログラム。
【発明の効果】
【０００９】
本願開示の技術によれば、撮影テンプレートに従って動画が撮影される。その結果、編集作業を行わずにストーリー性のある動画が作成される。
【図面の簡単な説明】
【００１０】
【図１】実施形態１の撮影カットの選択画面を例示する図である。
【図２Ａ】映像処理装置のハードウェア構成を例示する図である。
【図２Ｂ】実施形態１における補助記憶部内のデータ格納状態を例示する図である。
【図３Ａ】実施形態１における動画作成のフローチャートの前半を例示する図である。
【図３Ｂ】実施形態１における動画作成のフローチャートの後半を例示する図である。
【図４】実施形態１の映像処理装置１１０によるプレビュー映像の生成処理を例示する図である。
【図５】実施形態１の映像処理装置１１０によるエンコード処理を例示する図である。
【発明を実施するための形態】
【００１１】
以下、図面を参照して、本願で開示する各実施形態について説明する。以下の各実施形態の構成は例示であり、本願の技術的範囲は以下で開示する実施形態の構成に限定されない。
【００１２】
＜実施形態１＞
本発明の一側面は、映像処理装置として例示される。実施形態１では、撮影テンプレートに基づいて広告動画を作成する映像処理装置を例示する。実施形態１において、広告動画は複数の撮影カット毎に撮影される。撮影カットとして、例えば、オープニング、広告対象製品の説明、エンディング等の撮影カットがある。実施形態１では、映像処理装置としてスマートフォンを用いた広告動画の作成を例示する。実施形態１は、スマートフォン上で動作する動画撮影アプリを含む。以下、図１〜図５を参照して実施形態１について説明する。
【００１３】
まず、実施形態１の映像処理装置による映像作品の作成手順を概説する。実施形態１の映像処理装置では、映像作品のテーマ毎に用意された撮影テンプレートに従って映像作品の撮影を行う。撮影テンプレートには、各撮影カットの構図を示すガイド情報と各撮影カットの撮影時間の情報が含まれればよい。動画の撮影は撮影カットごとに行われればよい。撮影カットは、例えば、オープニング、インタビューおよびエンディング等のカットである。各撮影カットの撮影中、実施形態１の映像処理装置は、画面に構図を案内するガイド枠を表示してもよい。全ての撮影カットの撮影を終えると、実施形態１の映像処理装置はレンダリングを行い、映像作品が生成される。
【００１４】
撮影テンプレートは各撮影カットの構図および撮影時間の情報を含む。撮影テンプレートは映像作品のテーマ毎に用意されればよい。撮影テンプレートは、各撮影カットの撮影中に被写体の位置を案内するガイド枠の情報を含んでもよい。また、撮影テンプレートは、各撮影カットの構図を例示する絵コンテ情報を含んでもよい。さらに、撮影テンプレートは、各撮影カットの撮影内容を説明する説明文を含んでもよい。撮影テンプレートに従うことで、撮影者は容易に構図や撮影時間を把握しながら撮影を行うことができる。
【００１５】
実施形態１の映像処理装置では、複数の撮影テンプレートを有してもよい。撮影テンプレートは、例えば、業種ごとに用意されればよい。撮影テンプレートとして、例えば、カフェ（３０秒）、バー（１５秒）およびイタリアン（１５秒）等が例示される。ここで、かっこ書きで表記されている時間は各撮影テンプレートの撮影時間である。各業種の撮影テンプレートは、その業種に適した各撮影カットの構図および撮影時間を示す情報を含む。例えば、撮影テンプレートとしてカフェ（３０秒）が選択されると、撮影カットとして、オープニングの撮影（２秒）、店長インタビューの撮影（１０秒）、店内全体の撮影（５秒）、商品紹介の撮影（６秒）、顧客インタビューの撮影（５秒）、エンディングの撮影（２秒）が選択されればよい。撮影テンプレートが選択されることで、各業種に適した撮影カットごとの構図および撮影時間が示される。
【００１６】
実施形態１の映像処理装置は、複数の撮影テンプレートを包含する撮影カテゴリを備えてもよい。撮影カテゴリは、例えば、グルメ、スクール、サービスおよびビジネス等が例示される。撮影カテゴリによって撮影テーマを分類することで、多数の撮影テンプレートが存在する場合でも適切な撮影テンプレートの選択が容易になる。
【００１７】
図１は、実施形態１の撮影カットの選択画面を例示する図である。図１では、映像処理装置として、スマートフォン１が例示されている。スマートフォン１のディスプレイ１ａには、撮影カット選択画面２ａ〜２ｃが表示されている。撮影カット選択画面２ａ〜２ｃには、各撮影カットの構図を示す絵コンテが表示されていてもよい。撮影カット選択画面２ａ〜２ｃには、撮影開始の指示を受け付ける撮影カット選択ボタン３が表示されている。撮影カットボタン３が押されることで、該当する撮影カットの撮影が開始される。
【００１８】
図２Ａは、映像処理装置１１０のハードウェア構成を例示する図である。図２では、プロセッサ１１１、主記憶部１１２、補助記憶部１１３、映像信号入力部１１４、映像信号出力部１１５および通信部１１６が相互に接続バス１２０で接続された一般的な映像処理装置１１０が例示されている。映像処理装置１１０は、例えば、スマートフォン、タブレット端末、携帯電話、パーソナルコンピュータ、デジタルカメラ、デジタルビデオカメラ、眼鏡型コンピュータあるいは腕時計型コンピュータのようなウェアラブルデバイスである。スマートフォン１は映像処理装置１１０の一例である。
【００１９】
映像処理装置１１０は、プロセッサ１１１が補助記憶部１１３に記憶されたプログラムを主記憶部１１２の作業領域に実行可能に展開し、プログラムの実行を通じて周辺装置の
制御を行う。これにより、映像処理装置１１０は、所定の目的に合致した機能手段を実現することができる。主記憶部１１２及び補助記憶部１１３は、映像処理装置１１０が読み取り可能な記憶媒体である。
【００２０】
プロセッサ１１１は、主記憶部１１２上に実行可能に展開されたプログラムを実行する。その結果、映像処理装置１１０は実施形態１の映像処理装置として動作する。主記憶部１１２は、プロセッサ１１１から直接アクセスされる記憶部として例示される。主記憶部１１２は、Ｒａｎｄｏｍ  Ａｃｃｅｓｓ  Ｍｅｍｏｒｙ（ＲＡＭ）およびＲｅａｄ  Ｏｎｌｙ  Ｍｅｍｏｒｙ（ＲＯＭ）を含む。
【００２１】
補助記憶部１１３は、各種のプログラム及び各種のデータを読み書き自在に記録媒体に格納する。補助記憶部１１３は外部記憶装置とも呼ばれる。補助記憶部１１３には、オペレーティングシステム（Ｏｐｅｒａｔｉｎｇ  Ｓｙｓｔｅｍ、ＯＳ）、各種プログラム、各種テーブル等が格納される。ＯＳは、通信部１１６を介して接続される外部装置等とのデータの受け渡しを行う通信インターフェースプログラムを含む。外部装置等には、例えば、ネットワーク等で接続された、他の映像処理装置および外部記憶装置が含まれる。なお、補助記憶部１１３は、例えば、ネットワーク上のコンピュータ群であるクラウドの一部であってもよい。
【００２２】
補助記憶部１１３は、例えば、Ｅｒａｓａｂｌｅ  Ｐｒｏｇｒａｍｍａｂｌｅ  ＲＯＭ（ＥＰＲＯＭ）、ソリッドステートディスク（Ｓｏｌｉｄ  Ｓｔａｔｅ  Ｄｉｓｋ、ＳＳＤ）、ハードディスクドライブ（Ｈａｒｄ  Ｄｉｓｃ  Ｄｒｉｖｅ、ＨＤＤ）等である。また、補助記憶部１１３は、例えば、Ｃｏｍｐａｃｔ  Ｄｉｓｋ（ＣＤ）ドライブ装置、Ｄｉｇｉｔａｌ  Ｖｅｒｓａｔｉｌｅ  Ｄｉｓｃ（ＤＶＤ）ドライブ装置、Ｂｌｕ−ｒａｙ（登録商標）  Ｄｉｓｃ（ＢＤ）ドライブ装置等である。また、補助記憶部１１３は、Ｎｅｔｗｏｒｋ  Ａｔｔａｃｈｅｄ  Ｓｔｏｒａｇｅ（ＮＡＳ）あるいはＳｔｏｒａｇｅ
Ａｒｅａ  Ｎｅｔｗｏｒｋ（ＳＡＮ）によって提供されてもよい。記録媒体としては、例えば、不揮発性半導体メモリ（フラッシュメモリ）を含むシリコンディスク、ハードディスク、ＣＤ、ＤＶＤ、ＢＤ、Ｕｎｉｖｅｒｓａｌ  Ｓｅｒｉａｌ  Ｂｕｓ（ＵＳＢ）メモリ等である。
【００２３】
映像信号入力部１１４は、カメラ等の撮影装置から入力される映像信号を受け付ける。入力された映像信号は、必要に応じて補助記憶部１１３に記憶されればよい。映像処理装置１１０は、カメラ等の撮影装置と映像信号入力部１１４を介して有線あるいは無線で接続されればよい。映像処理装置１１０はカメラ等の撮影装置を備えてもよい。
【００２４】
映像信号出力部１１５は、ディスプレイ等の表示装置に映像処理装置１１０からの情報を出力する。映像処理装置１１０は、例えば、撮影された映像信号を映像信号出力部１１５から出力し、ディスプレイに表示する。映像処理装置１１０は、ディスプレイ等の表示装置と映像信号出力部１１５を介して有線あるいは無線で接続されればよい。なお、映像処理装置１１０は、ディスプレイ等の表示装置を備えてもよい。
【００２５】
通信部１１６は、例えば、ネットワーク等とのインターフェースである。ネットワーク等とは、例えば、有線のコアネットワーク、インターネット、Ｌｏｃａｌ  Ａｒｅａ  Ｎｅｔｗｏｒｋ（ＬＡＮ）、ＩｎｆｉｎｉＢａｎｄ、コンピュータメーカーによる専用バス、無線ＬＡＮ等の無線ネットワーク等である。通信部１１６は、有線または無線によって外部の装置と通信を行う。映像処理装置１１０は、例えば、撮影された動画を通信部１１６から外部の装置にアップロードしてもよい。また、映像処理装置１１０は、例えば、撮影テンプレート等の情報を外部の装置からダウンロードしてもよい。
【００２６】
映像処理装置１１０は、例えば、ユーザ等からの操作指示等を受け付ける入力部を備えてもよい。このような入力部として、キーボード、ポインティングデバイス、タッチパネル、加速度センサーあるいは赤外線センサー等を利用したコントローラー、音声入力装置等といった入力デバイスを例示できる。また、映像処理装置１１０は、プロセッサ１１１で処理されるデータや主記憶部１１２に記憶されるデータを出力する出力部を備えるものとしてもよい。このような、出力部として、Ｃａｔｈｏｄｅ  Ｒａｙ  Ｔｕｂｅ（ＣＲＴ）ディスプレイ、Ｌｉｑｕｉｄ  Ｃｒｙｓｔａｌ  Ｄｉｓｐｌａｙ（ＬＣＤ）、Ｐｌａｓｍａ  Ｄｉｓｐｌａｙ  Ｐａｎｅｌ（ＰＤＰ）、Ｅｌｅｃｔｒｏｌｕｍｉｎｅｓｃｅｎｃｅ（ＥＬ）パネル、有機ＥＬパネル、プリンタといった出力デバイスを例示できる。
【００２７】
図２Ｂは、実施形態１における各種情報の補助記憶部１１３への格納状態を例示する図である。図２Ｂでは、動画を記憶するプロジェクトディレクトリ２０１と撮影テンプレートを記憶するテンプレートディレクトリ２０３が例示されている。
【００２８】
プロジェクトディレクトリ２０１は、映像作品毎に動画を記憶する動画ディレクトリ２０２を含む。動画ディレクトリ２０２は、撮影カット毎の動画ファイルおよび音声ファイルを含む。撮影カット毎に撮影された映像は、動画ファイルと音声ファイルに分けて記憶されてもよい。動画ファイルディレクトリ２０２は、さらにサムネイル画像を含んでもよい。撮影カット毎の動画ファイルは、プレビュー用の圧縮された動画ファイルを含んでもよい。
【００２９】
テンプレートディレクトリ２０３は、テンプレートに関する情報が記憶されればよい。テンプレートディレクトリ２０３は、撮影テンプレートディレクトリ２０４を含む。撮影テンプレートディレクトリ２０４は、映像作品のテーマ毎に用意される。撮影テンプレートディレクトリ２０４は、カットディレクトリ２０５およびテンプレート設定ファイル２０６を含む。テンプレートディレクトリは、撮影テンプレート記憶手段の一例である。
【００３０】
テンプレート設定ファイル２０６は、テンプレートの設定情報を含む。テンプレート設定情報とは、例えば、撮影テンプレートをユニークに識別するテンプレートＩＤ、撮影テンプレートの名称、撮影カット毎の撮影時間、撮影テンプレートに含まれる撮影カットを識別するＩＤ、映像作品のどの時間帯に各撮影カットを割り振るかを定めるカット割り情報および各撮影カットの音声出力の有無を判定するフラグ情報を含む。
【００３１】
カットディレクトリ２０５は、映像作品を構成する撮影カット毎の撮影カットテンプレート２０７を含む。撮影カットテンプレート２０７は、各撮影カット毎の構図や撮影時間の情報を含む。撮影カットとは、例えば、オープニング、インタビューおよびエンディングである。
【００３２】
テンプレートディレクトリ２０３は、複数の撮影テンプレートディレクトリ２０４を包含する撮影カテゴリディレクトリを含んでもよい（図示は省略）。撮影カテゴリディレクトリによって撮影テンプレートディレクトリ２０４が分類されると、撮影テンプレートが多数存在している場合でも所望の撮影テンプレートを選択しやすくなる。
【００３３】
プロジェクトディレクトリ２０１およびテンプレートディレクトリ２０５は、必ずしも補助記憶部１１３に記憶されなくともよい。例えば、プロジェクトディレクトリ２０１およびテンプレートディレクトリ２０５はネットワーク上のサーバーに記憶されてもよい。この場合、映像処理装置１１０は、通信部１１６を介してネットワーク上のサーバーにアクセスすればよい。
【００３４】
図３Ａは、実施形態１における動画作成のフローチャートの前半を例示する図である。
図３Ｂは、実施形態１における動画作成のフローチャートの後半を例示する図である。図３Ａおよび図３Ｂでは、スマートフォン１の画面表示例を適宜図示している。図３Ａおよび図３Ｂを参照して、実施形態１による映像作品作成の流れを説明する。
【００３５】
スマートフォン１は、起動されると補助記憶部１１３のテンプレートディレクトリ２０３から撮影カテゴリ情報を読み込む。読み込まれた撮影カテゴリ情報は、スマートフォン１のディスプレイ１ａに撮影カテゴリ選択画面として表示される。撮影カテゴリとは、例えば、グルメ、スクール、ビューティ、サービス、ビジネスおよびトラベルである。ここでは、例えば、撮影カテゴリとしてグルメが選択される。
【００３６】
撮影カテゴリが選択されると、スマートフォン１は、選択された撮影カテゴリに含まれる撮影テンプレートの一覧を補助記憶部１１３から読み込む。読み込まれた撮影テンプレートの情報は、スマートフォン１のディスプレイ１ａに撮影テンプレート選択画面として表示される。撮影テンプレートは映像作品のテーマごとに用意される。撮影テンプレートとしては、例えば、カフェ（３０秒）、バー（１５秒）、イタリアン（１５秒）等である。ここでは、例えば、撮影テンプレートとしてカフェ（３０秒）が選択される（Ｓ３０２）。
【００３７】
撮影テンプレートが選択されると、スマートフォン１は、選択された撮影テンプレートに含まれる撮影カットの一覧を補助記憶部１１３から読み込む。そして、スマートフォン１は、読み込まれた撮影カットの選択画面をスマートフォン１のディスプレイ１ａに表示する（Ｓ３０３）。撮影カットは、例えば、オープニング、インタビュー、店内撮影およびエンディングである。各撮影カットには、撮影時間および構図のガイド情報が含まれる。Ｓ３０３の処理は、撮影カット選択手段の一例である。
【００３８】
撮影カットが選択されると、スマートフォン１は、ディスプレイ１ａにガイド枠５および撮影開始ボタン４を表示する（Ｓ３０４）。Ｓ３０４の上側の図は人物をアップで撮影する場合の構図、下側の図は背景も含めた構図を例示している。ガイド枠５は、例えば、構図およびその撮影カットで撮影する内容を示すガイド情報である。ガイド情報は、例えば、被写体の位置を案内するガイド枠の表示を含む。被写体は、例えば、人物、広告対象の商品、家具および建物等を含む。ガイド情報は、撮影すべき内容についての説明文の表示を含んでもよい。さらに、スマートフォン１は、ガイド情報として撮影すべき構図を示した絵コンテをディスプレイ１ａに表示してもよい。絵コンテはスマートフォン１のディスプレイ１ａ全体に透過的に表示されてもよい。また、スマートフォン１は、ディスプレイ１ａに、音量のバロメーターを表示してもよい。音量のバロメーターを表示することで、撮影開始前に適切な音量の確認を撮影者に促すことができる。
【００３９】
撮影開始ボタン４が押されると、スマートフォン１は、撮影開始へのカウントダウンをディスプレイ１ａに表示してもよい（Ｓ３０５）。カウントダウンとしては、例えば、“３→２→１→ＳＴＡＲＴ”である。
【００４０】
カウントダウンが完了すると、スマートフォン１は選択された撮影カットの撮影を開始する（Ｓ３０６）。スマートフォン１は、撮影をしている間、ディスプレイ１ａにガイド枠５および撮影すべき内容についての説明文等のガイド情報を表示してもよい。撮影をしている間もガイド情報が表示されることで、適切な構図を維持した撮影が容易となる。また、スマートフォン１は、撮影をしている間、ディスプレイ１ａに音量のバロメーターを表示してもよい。音量のバロメーターが表示されることで、音声が適切な音量であるか撮影中に確認することが容易となる。撮影は、撮影カット毎に撮影テンプレートによって規定された撮影時間の間行われればよい。スマートフォン１は、撮影された動画を撮影カット毎に補助記憶部１１３に記憶すればよい。スマートフォン１は、撮影カットの撮影終了
後に圧縮済みプレビュー用動画ファイルを生成してもよい。Ｓ３０６の処理は、撮影カット撮影手段の一例である。
【００４１】
撮影後、スマートフォン１は、撮影された映像のプレビューをディスプレイ１ａに表示する（Ｓ３０７）。プレビューの生成処理は後述される。プレビューの表示後、スマートフォン１は、プレビューされた映像で問題が無いか撮影者に確認を促すダイアログを表示してもよい。プレビューされた映像に問題が無ければ、スマートフォン１は処理をＳ３０８に進める。プレビューされた映像に問題がある場合、スマートフォン１は処理をＳ３０４に進める。
【００４２】
スマートフォン１は、全ての撮影カットの撮影が完了しているか判定する（Ｓ３０８）。全ての撮影カットの撮影が完了した場合、スマートフォン１は処理をＳ３０９に進める。全ての撮影カットの撮影が完了していない場合、スマートフォン１は処理をＳ３０４に進める。
【００４３】
全ての撮影カットの撮影を終えると、スマートフォン１は撮影された各撮影カットに対して適用されるフィルタの選択画面を表示する（Ｓ３０９）。フィルタは、例えば、各撮影カット毎に適用される。各撮影カットに適用されるフィルタが選択されると、実施形態１のシステムは撮影カットに対しフィルタを適用する。フィルタの適用とは、例えば、撮影された動画に対して様々な効果を与える処理である。フィルタは、例えば、色調の変更、撮影カットの切り替えを演出するトランシジョン、効果音およびＢａｃｋ  Ｇｒｏｕｎｄ  Ｍｕｓｉｃ（ＢＧＭ）である。
【００４４】
フィルタの適用を終えると、スマートフォン１は撮影された動画のレンダリングを行う（Ｓ３１０）。レンダリングを行うことで、撮影カットごとに撮影された動画および各撮影カットに適用されたフィルタをまとめ、一つの広告動画ファイルが生成される。Ｓ３１０の処理は、映像作品生成手段の一例である。
【００４５】
レンダリングを完了すると、作成された動画の公開準備が整う（Ｓ３１１）。スマートフォン１は、例えば、作成された広告動画を通信部１１６から外部の動画公開サービス、Ｓｏｃｉａｌ  Ｎｅｔｗｏｒｋｉｎｇ  Ｓｅｒｖｉｃｅ（ＳＮＳ）あるいはＥ−Ｃｏｍｍｅｒｃｅサイト等へアップロードしてもよい。スマートフォン１はアップロード先の動画公開サービス等に適した画質、ファイル形式、ファイルサイズ等に広告動画をエンコードしてもよい。
【００４６】
図４は、スマートフォン１によるプレビュー映像の生成処理を例示する図である。プレビュー映像は、例えば、補助記憶部１１３に記憶された圧縮済みプレビュー用動画ファイルを用いて生成される。各撮影カットに適用されるフィルタは、圧縮済みプレビュー用動画ファイルに適用されればよい。プレビュー映像のＢＧＭは、テンプレート設定ファイル２０６に基いて決定されればよい。フィルタが適用された各撮影カット毎の動画ファイル、各撮影カットの音声ファイルおよびテンプレート設定ファイルに基いて決定されたＢＧＭがマージされることで、プレビュー映像が生成される。なお、スマートフォン１では、エンコードを行うまでは、各撮影カットの動画ファイル、音声ファイル及びフィルタ情報はそれぞれ別のファイルとして補助記憶部１１３に記憶されてもよい。
【００４７】
図５は、スマートフォン１によるエンコード処理を例示する図である。エンコード処理は、圧縮されていない未圧縮データを用いることを除いて、プレビュー映像生成と同様の処理である。そのため、詳細な説明は省略する。
【００４８】
実施形態１では、撮影テンプレートに従って撮影カットごとに広告動画の撮影を行った
。そのため、編集作業を行わずにストーリー性のある広告動画を作成することができた。
【００４９】
＜変形例＞
実施形態１では、スマートフォンを用いて広告動画の撮影を行った。本変形例では、前述の映像処理装置１１０としてデジタルカメラを例示し、当該デジタルカメラの動画撮影機能を用いて家族のイベントの撮影を行う。
【００５０】
家族のイベントの撮影を行う場合、撮影カテゴリから家族を選択すればよい。撮影カテゴリから家族が選択されると、変形例のシステムは家族の撮影カテゴリに含まれる撮影テンプレートの一覧を補助記憶部１１３から読み込む。家族の撮影テンプレートは、例えば、正月、誕生日、結婚式および家族旅行等である。読み込まれた撮影テンプレートの選択画面は、デジタルカメラのディスプレイに表示されればよい。ここでは、撮影テンプレートとして、誕生日が選択されたものとする。
【００５１】
撮影テンプレートとして誕生日が選択されると、変形例のシステムは誕生日の撮影テンプレートに含まれる撮影カットの一覧を補助記憶部１１３から読み込む。誕生日の撮影カットは、例えば、オープニング（２秒）、部屋の全景（４秒）、ケーキのアップ（２秒）、誕生日パーティの様子（３０秒）、プレゼントの贈呈（２０秒）、エンディング（２秒）である。読み込まれた撮影カットの一覧は、撮影カットの選択画面としてデジタルカメラのディスプレイに表示される。撮影テンプレートの選択画面が表示されて以降の処理は、Ｓ３０４〜Ｓ３１１と同様であるので、その説明を省略する。
【００５２】
変形例では、撮影テンプレートに従って家族のイベントの撮影を行った。そのため、編集作業を行わなくともストーリー性のある動画を撮影できる。
【００５３】
＜撮影テンプレートのダウンロード＞
実施形態１および変形例で説明した撮影テンプレートは、ネットワーク上のサーバー等から通信部１１６を介してダウンロードされてもよい。ダウンロードされた撮影テンプレートは補助記憶部１１３に記憶されればよい。撮影テンプレートのダウンロードを可能とする事で、スマートフォン１の初期設定時には補助記憶部１１３に記憶されていなかった撮影テンプレートを追加することができる。
【００５４】
以上で開示した実施形態１および変形例は本発明の範囲内で変形可能である。例えば、実施形態１では複数のカテゴリおよびテンプレートから選択される構成を採用したが、テンプレートを一種類としてもよい。たとえば、テンプレートをカフェ（３０秒）のみとすることで、カフェの広告動画専用の映像処理装置１１０としてもよい。また、例えば、実施形態１および変形例では動画の撮影にスマートフォンあるいはデジタルカメラを用いたが、本発明による動画の撮影はこれらの装置に拘束されない。本発明は、例えば、映像信号の入力を受け付け、受け付けた映像信号を記録できる装置であれば適用できる。本発明は、例えば、デジタルビデオカメラ、ウェブカメラが接続されたパーソナルコンピュータ、動画撮影機能を有する携帯電話及びタブレット端末等に適用可能である。
【００５５】
さらに、本発明による動画の作成では、撮影テンプレートをジャンル毎に用意することで、様々なジャンルの動画を作成可能である。様々なジャンルの動画として、例えば、料理レシピを紹介する動画、技術的なコツを紹介する動画あるいはｅ−ｌｅａｒｎｉｎｇコンテンツ等を例示できる。作成された動画は、それぞれのジャンルに適した動画共有サービスにアップロードされてもよい。動画共有サービスとして、例えば、Ｅ−Ｃｏｍｍｅｒｃｅサイト、料理レシピの共有サイト、飲食店等の店舗紹介サイト、ｅ−ｌｅａｒｎｉｎｇサイト等を例示できる。
【００５６】
＜コンピュータが読み取り可能な記録媒体＞
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【００５７】
ここで、映像処理装置を含むコンピュータ等が読み取り可能な記録媒体とは、データあるいはプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤＲＯＭ、ＣＤ−Ｒ／Ｗ、ＤＶＤ、ブルーレイディスク、ＤＡＴ、８ｍｍテープ、フラッシュメモリなどのメモリカード等がある。また、コンピュータ等に固定された記録媒体としてハードディスクドライブあるいはＲＯＭ等がある。
【符号の説明】
【００５８】
１・・・スマートフォン
１ａ・・・ディスプレイ
２ａ〜２ｃ・・・撮影カット選択画面
３・・・撮影カット選択ボタン
４・・・撮影開始ボタン
５・・・ガイド枠
６・・・再生ボタン
１１０・・・映像処理装置
１１１・・・プロセッサ
１１２・・・主記憶部
１１３・・・補助記憶部
１１４・・・映像信号入力部
１１５・・・映像信号出力部
１１６・・・通信部
１２０・・・接続バス
２０１・・・プロジェクトディレクトリ
２０２・・・動画ディレクトリ
２０３・・・テンプレートディレクトリ
２０４・・・撮影テンプレートディレクトリ
２０５・・・カットディレクトリ
２０６・・・テンプレート設定ファイル
２０７・・・撮影カットテンプレート
【図１】
2015115718.tif 000003
【図２Ａ】
2015115718.tif 000004
【図２Ｂ】
2015115718.tif 000005
【図３Ａ】
2015115718.tif 000006
【図３Ｂ】
2015115718.tif 000007
【図４】
2015115718.tif 000008
【図５】
2015115718.tif 000009